(57)【特許請求の範囲】
【請求項１】
携帯可能な通信装置であって、
把持可能な筺体と、
他の装置と通信する通信部と、
前記通信部の通信品質情報を取得する品質取得部と、
前記品質取得部により取得される前記通信品質情報をディスプレイに表示するための表示制御部と、を備え、
前記表示制御部は、
前記通信品質情報を表示するとき、それ以前の予め定められた時間内において取得された前記通信品質情報のうち、所定の悪化した第１の品質状態の通信品質情報が存在した場合は、該第１の品質状態となった通信品質情報を所定時間表示する表示処理を行うことを特徴とする、通信装置。
【請求項２】
前記表示制御部は、さらに、
前記表示処理を実施後に、前記通信品質情報が前記第１の品質状態より良好な第２の品質状態が予め定められた期間継続した場合は、前記第１の品質状態の通信品質情報に代えて、当該予め定められた期間において取得される当該第２の品質状態の通信品質情報を表示する処理を行う、請求項１に記載の通信装置。
【請求項３】
前記通信装置は、さらに、
前記筺体の表面に設けられ、当該通信装置に対するユーザ操作を受付ける操作面と、を備え、
前記表示制御部は、
通信時に、予め定められた操作が受付けられたとき、前記表示処理の実施を中止し、最新の通信品質情報を表示する、請求項１または２に記載の通信装置。
【請求項４】
前記通信装置は、スピーカフォン機能を有し、
前記予め定められた操作は、前記スピーカフォン機能を起動するための操作を含む、請求項３に記載の通信装置。
【請求項５】
前記通信装置は、
音声出力部を、さらに備え、
前記筺体の表面において、対象の接触を検知するための接触面を有し、
前記音声出力部は、前記接触面において、または当該接触面の近傍に配置され、
前記表示制御部は、
前記通信時に前記接触面において対象が接触したことを判断したとき、前記表示処理を実施する、請求項１から４のいずれか１項に記載の通信装置。
【発明の詳細な説明】
【技術分野】
【０００１】
本発明は、通信装置、その制御方法およびプログラムに関し、特に、通信品質情報を表示する通信装置、その制御方法およびプログラムに関する。
【背景技術】
【０００２】
従来、無線通信機器の電波受信状況を検出して、ユーザに通知する方法が提供されていた。例えば、特許文献１（特開２００７−２７９３２号公報）の無線通信機器は、無線送信されたパケットを受信し、該受信したパケットの受信信号強度を測定し、受信した全てのパケットのうちエラーになったパケットの割合を示す受信パケットエラー率を算出し、受信信号強度と当該受信パケットエラー率から電波妨害の程度を判定する。
【０００３】
また、特許文献２（特開２０００−１７４６９４号公報）の無線通信装置は、ある一定時間内の品質値が品質閾値を下回っている時間率を求めて、時間率に基づき、通信品質の表示を行っている。
【先行技術文献】
【特許文献】
【０００４】
【特許文献１】特開２００７−２７９３２号公報
【特許文献２】特開２０００−１７４６９４号公報
【発明の概要】
【発明が解決しようとする課題】
【０００５】
親子電話機の子機を用いた外線通話時も無線通信を利用する。無線通信時には、通信品質（受信強度、受信ビット誤り率(ＢＥＲ(Ｂｉｔ  Ｅｒｒｏｒ  Ｒａｔｅ）)、受信電力対雑音比(ＣＮＲ(Ｃａｒｒｉｅｒ  ｔｏ  Ｎｏｉｓｅ  Ｒａｔｉｏ))など）が検出されて、検出された通信品質を示す指標（アンテナマークなど）が子機に一体的に設けられた画面に表示される。
【０００６】
実際に、子機で通話をしているとき、瞬間的にマルチパス（電子レンジなどの異なる信号の帯域が重なってノイズが生じる）などにより通信品質が低下し、音声の途切れ、雑音が生じたとき、ユーザはその時点（音声の途切れや雑音が発生した時）の通信品質を示す指標（アンテナマーク表示）を確認することができない。つまり、子機はその携帯性ゆえに画面がスピーカに近接してデザインされる場合があり、子機のスピーカを耳に当てながら通話をしているユーザにとっては、画面が死角となり指標を見ることができないからである。
【０００７】
そのため、通話中に音声の途切れや雑音が発生した場合に、ユーザがスピーカを耳から離して画面の指標を確認したときには、通信品質が正常値に戻っているケースが生じ得る。このケースでは、ユーザは指標が正常であるにもかかわらず音声途切れが発生したと判断し、電話機（子機）が不良品である、または故障していると誤った判断をしてしまう。
【０００８】
本開示のある局面に係る目的は、ユーザによる通信品質の誤判断の可能性を防止する通信装置を提供することである。
【課題を解決するための手段】
【０００９】
本開示のある局面に係る携帯可能な通信装置は、把持可能な筺体と、他の装置と通信する通信部と、通信部の通信品質情報を取得する品質取得部と、品質取得部により取得される通信品質情報をディスプレイに表示するための表示制御部と、を備える。表示制御部は、通信品質情報を表示するとき、それ以前の予め定められた時間内において取得された通信品質情報のうち、所定の悪化した第１の品質状態の通信品質情報が存在した場合は、該第１の品質状態となった通信品質情報を所定時間表示する表示処理を行う。
【００１０】
好ましくは、表示制御部は、さらに、表示処理を実施後に、通信品質情報が第１の品質状態より良好な第２の品質状態が予め定められた期間継続した場合は、第１の品質状態の通信品質情報に代えて、当該予め定められた期間において取得される当該第２の品質状態の通信品質情報を表示する処理を行う。
【００１１】
好ましくは、通信装置は、筺体の表面に設けられ、当該通信装置に対するユーザ操作を受付ける操作面と、を備え、表示制御部は、通信時に、予め定められた操作が受付けられたとき、表示処理の実施を中止し、最新の通信品質情報を表示する。
【００１２】
好ましくは、通信装置は、スピーカフォン機能を有し、予め定められた操作は、スピーカフォン機能を起動するための操作を含む。
【００１３】
好ましくは、通信装置は、筺体の表面において、対象の接触を検知するための接触面を有し、音声出力部は、接触面において、または当該接触面の近傍に配置され、表示制御部は、通信時に接触面において対象が接触したことを判断したとき、表示処理を実施する。
【発明の効果】
【００１４】
本開示によれば、ユーザによる通信品質の誤判断が防止される。
【図面の簡単な説明】
【００１５】
【図１】（Ａ）と（Ｂ）は、実施の形態１にかかる電話機の外観の一例を表わした図である。
【図２】子機２０の構成の一例を示すブロック図である。
【図３】親機４０の構成の一例を示すブロック図である。
【図４】実施の形態１に係る子機２０が有する機能の構成を模式的に示すブロック図である。
【図５】実施の形態１に係る情報の表示例を示す図である。
【図６】実施の形態１に係る無線通信の処理フローチャートである。
【図７】図６の表示処理（ステップＳ３）のフローチャートを示す図である。
【図８】実施の形態４に係る通信システムを概略的に示す図である。
【図９】（Ａ）〜（Ｃ）は、実施の形態４に係るアンテナマークの表示例を示す図である。
【図１０】実施の形態４に係る通信端末の外観を模式的に示す図である。
【図１１】図１０の通信端末のハードウェア構成を表わすブロック図である。
【図１２】子機２０を用いた通話態様を示す図である。
【発明を実施するための形態】
【００１６】
以下、各実施の形態について、図面を参照して説明する。各図面において、同一または相当する部分には、同一符号を付して、説明は繰り返さない。
【００１７】
［技術思想］
開示される技術思想は、以下の通りである。通信部の通信品質の表示機能を有した携帯可能な通信装置は、通信部の通信品質情報を取得し、取得された通信品質情報をディスプレイに表示する。当該表示を実施するときは、それ以前の予め定められた時間内において取得されている通信品質情報のうち所定の悪化した第１の品質状態の通信品質情報が存在した場合は、該状態となった通信品質情報を所定時間表示する。
【００１８】
これにより、ユーザが通信装置を携帯しながらの通信時は、上記の所定の悪化した第１の品質状態の通信品質情報が表示され得る。したがって、通信中に雑音等の影響（音声の途切れ等）が発生して、ユーザが通信品質情報のディスプレイ表示を確認するまでの期間において、通信品質の状態が正常に戻ったとしても、ユーザに対しては、それ以前において取得された所定の悪化した第１の品質状態の通信品質情報が提示される。したがって、上記に述べたユーザの誤判断を防止することができる。
【００１９】
なお、各実施の形態では、無線通信に関する通信品質情報を説明するが、これに限定されず、有線通信の場合であっても、有線通信に関する通信品質情報について、各実施の形態を同様に適用することができる。
【００２０】
[実施の形態１]
（装置外観）
図１（Ａ）と（Ｂ）は、実施の形態１にかかる電話機の外観の一例を表わした図である。図１（Ａ）を参照して、電話機１００は、無線通信のためのアンテナ３９Ａを備えるとともに、固定電話回線５０を接続する親機（電話線接続ボックス）４０と、子機２０とを備える。子機２０は、無線通信装置の一実施例である。子機２０は、充電のためのクレードル３０に着脱自在に載置される。
【００２１】
子機２０は親機４０に登録されており、子機２０は、親機４０と無線通信する。例えば、固定電話回線５０から通話の着信があった場合には、親機４０は着信に応じて子機２０を呼出し、子機２０が呼出しに応答したとき、両者の間に無線通信路が確立する。この無線通信は、たとえば、ＤＥＣＴ（Digital  Enhanced  Cordless  Telecommunications）方式と呼ばれるデジタルコードレス電話規格に従っている。なお、無線通信方式は、ＤＥＣＴに限定されず、例えば、Ｂｌｕｅｔｏｏｔｈ（登録商標）などの他の方式であってもよい。
【００２２】
子機２０は、ユーザが把持可能な形状の筺体６を備える。筺体６の表面において配置された、各種の情報を表示するためのディスプレイ１０と、操作パネル１１と、通話などの音声を出力するための音声出力部の一実施例であるスピーカ部８と、通話時の音声を入力するためのマイク９と、各種の情報を表示するためのディスプレイ１０とを備える。操作パネル１１は、操作面の一実施例であり、子機２０に対する指示を入力するためにユーザにより操作されるボタン、スイッチ等が配置されている。操作パネル１１には、電話番号を入力するためのテンキーと、機能ボタンとを含む。機能ボタンは、子機２０が有するスピーカフォン機能を起動させるために操作されるスピーカフォンボタン１１Ａを含む。
【００２３】
着信があった場合、ユーザは、子機２０をクレードル３０から取り外し、筺体６を携帯しながらスピーカ部８を耳に当てて通話する。また、着信があった場合に、スピーカフォンボタン１１Ａが操作されたときは、スピーカフォン機能が起動する。スピーカフォン機能が起動しているときは、図１（Ａ）のように、ユーザは、クレードル３０に子機２０を置いたまま（携帯しないハンズフリー）で通話することができる。
【００２４】
図１（Ｂ）は、他の電話機１００Ａを例示する。電話機１００Ａは、受話器が載置される子機受け部１３Ａを備える親機４０Ａを含む。この親機４０Ａには、受話器として上記に説明した子機２０を用いることができる。親機４０Ａは、固定電話回線５０に接続される。親機４０Ａの正面には、ディスプレイ１３、スピーカ１５Ｂおよび数字ボタンなどを有した操作パネル１６が配置される。以下では、説明を簡単にするために、図１（Ａ）の電話機１００について説明するが、図１（Ｂ）の電話機１００Ａであっても電話機１００と同様の機能・構成を実現することができるので、その説明は繰返さない。
【００２５】
（装置構成）
図２は、子機２０の構成の一例を示すブロック図である。図３は、親機４０の構成の一例を示すブロック図である。図２を参照して、子機２０は、アンテナ２を接続してＤＥＣＴ方式に従う無線通信を行うためのＤＥＣＴ無線部３、ＣＰＵ（Central  Processing  Unit）１を含むマイクロコンピュータを有した制御部１Ａ、信号処理部４、記憶部５、クレードル３０から電力が供給されて充電可能な内蔵バッテリ部７、スピーカ部８、マイク９、ディスプレイ１０、操作パネル１１、タイマ１２、およびピン検出部１４を含む。記憶部５は、子機２０の識別子、各種のデータおよびプログラムなどを記憶する。ピン検出部１４は、子機２０が親機４０に装着される部位に関連して設けられている。ピン検出部１４は、ピンの電位に基づき子機２０が親機４０に装着された（または、取外された）こと示す信号をＣＰＵ１に出力する。ＣＰＵ１は、ピン検出部１４からの出力信号に基づき子機２０が装着されているか否かを判断する。
【００２６】
アンテナ２とＤＥＣＴ無線部３は、親機４０との間でＤＥＣＴ方式に従い確立された無線通信路を介して、他の装置（親機４０）と通信する通信部の一実施例である。ＤＥＣＴ無線部３はアンテナ２を介して受信したパケットからデータを抽出し、信号処理部４に出力する。信号処理部４は、受信されたデータを復号し、復号後の信号を出力する。パケットから音声データが抽出される場合は、信号処理部４は、ＤＥＣＴ無線部３を介して受信した音声データを、スピーカ部８を駆動するためのアナログの音声信号に変換（復号）する。変換後の音声信号に基づきスピーカ部８から音声が出力される。
【００２７】
また、信号処理部４は、送信用の信号をデータに変換（変調）し、変換後のデータをＤＥＣＴ無線部３に出力する。ＤＥＣＴ無線部３は、信号処理部４からのデータに基づくパケットを生成し、生成したパケットを、アンテナ２を介して送信する。信号処理部４は、マイク９から入力する音声信号を音声データに変換し、ＤＥＣＴ無線部３に出力する。ＤＥＣＴ無線部３は、信号処理部４からの音声データに基づくパケットを生成し、当該パケットを、アンテナ２を介して送信する。
【００２８】
図３を参照して、親機４０は、ＣＰＵ３１、外部の商用ＡＣ（Alternating  Current）電源から電力信号を入力するためのＡＣ電源Ｉ／Ｆ（Interfaceの略）３３、および電話回路３４を備える。電話回路３４は、固定電話回線５０を接続し、固定電話回線５０との間で音声信号を含む各種信号を送受信する。また、ＣＰＵ３１は、上記に述べたディスプレイ１３、スピーカ１５Ｂ、操作パネル１６、および各種データとプログラムを記憶する記憶部３７を接続する。
【００２９】
（機能構成と表示例）
図４は、実施の形態１に係る子機２０が有する機能の構成を模式的に示すブロック図である。図４を参照して、子機２０は、アンテナ２を含む通信部の通信品質に関する予め定められた通信品質値を取得する品質取得部２１、および、無線通信中に取得される通信品質値をディスプレイ１０に表示するための表示制御部２２を備える。
【００３０】
なお、本実施の形態では、通信部の通信品質情報の一例として通信品質値を説明するが、通信品質情報は値で示されるものに限定されない。
【００３１】
品質取得部２１は、通信品質値として、アンテナ２の受信強度、受信ビット誤り率、および受信電力対雑音比を取得する。通信品質値の種類はこれら３種類に限定されず、また種類数も３個より多くても、または３個未満であってもよい。
【００３２】
上記の受信強度、受信ビット誤り率、および受信電力対雑音比の測定または取得の方法は公知の手順に従うので詳細な説明は繰返さない。品質取得部２１は、上記の受信強度に関して、ＤＥＣＴ無線部３が受信したパケットから、例えばＲＳＳＩ（Received  Signal  Strength  Indicator）などの受信電波強度を測定する。また、受信ビット誤り率に関して、受信パケットのエラーをチェックするためのＣＲＣ（Cyclic  Redundancy  Check）エラーなどの受信エラーを検出し、検出した受信エラーに基づき受信ビット誤り率を算出する。
【００３３】
表示制御部２２は、第１表示制御部２３と第２表示制御部２４とを含む。第１表示制御部２３は、通信品質情報（上記の通信品質値に相当）を表示するとき、それ以前の予め定められた時間内において取得された通信品質情報（上記の通信品質値に相当）のうち、所定の悪化した第１の品質状態の通信品質情報が存在した場合は、該第１の品質状態となった通信品質情報を所定時間、ディスプレイ１０に表示する表示処理を実施する。なお、この所定時間は、例えば５秒等であるが、これに限定されない。
【００３４】
第２表示制御部２４は、第１表示制御部２３による表示処理を実施後において、通信品質情報について上記の第１の品質状態よりも良好な第２の品質状態が予め定められた期間継続した場合は、上記の第１の品質状態の通信品質情報に代えて、当該予め定められた期間において取得される当該第２の品質状態の通信品質情報を、ディスプレイ１０に表示する処理を行う。
【００３５】
第１表示制御部２３および第２表示制御部２４の詳細については、後述する。
図４の各部の機能は、子機２０のＣＰＵ１、ＤＥＣＴ無線部３、記憶部５およびタイマ１２等のハードウェア回路と、記憶部５に予め格納されたプログラムおよびデータとの組合せにより実現される。
【００３６】
図５は、実施の形態１に係る情報の表示例を示す図である。図５を参照して、無線通信時に、ディスプレイ１０には、他の情報（相手先電話番号、相手先氏名等）とともに、表示制御部２２により通信品質値を示す指標が表示される。ここでは、指標として、アンテナマーク１０Ａのインジケータ（本数、マークの高さ）を示しているが、これに限定されない。例えば、通信品質値である数値を表示するようにしてもよい。
【００３７】
（処理フロー）
図６は、実施の形態１に係る無線通信の処理フローチャートである。図６の処理フローに従うプログラムは子機２０の記憶部５に予め格納される。ＣＰＵ１は、記憶部５からプログラムを読出し、読出されたプログラムを実行する。図６のフローチャートを参照して、ユーザが子機２０を用いて他の通信装置と通話する場合を説明する。
【００３８】
図６を参照して、ＣＰＵ１はＤＥＣＴ無線部３からの出力に基づき、通話開始するか否か、すなわち着信があり通話開始操作がなされたか否かを判断する（ステップＳ１）。通話開始操作がなされないと判断されると（ステップＳ１でＮＯ）、ステップＳ１の処理が繰返されるが、通話開始操作があったと判断されると（ステップＳ１でＹＥＳ）、ＣＰＵ１は通話開始操作がスピーカフォン機能の操作であるか否かを判断する（ステップＳ２）。具体的には、ＣＰＵ１は、操作パネル１１から予め定められたユーザ操作を受付けたときは、スピーカフォン機能の操作であると判断する（ステップＳ２でＹＥＳ）。この場合は、ＣＰＵ１は、スピーカフォン機能を起動して、スピーカフォンのための他の処理を実施する。なお、スピーカフォン機能を起動するための予め定められた操作は、スピーカフォンボタン１１Ａの操作である。
【００３９】
一方、ＣＰＵ１は、スピーカフォン機能の操作がなされなかったと判断したときは（ステップＳ２でＮＯ）、通常の子機２０を携帯した通話（後述の図１２参照）が実施されながら、通信品質値の取得および表示の処理が行われる（ステップＳ３）。この処理については、図７を参照して後述する。
【００４０】
ＣＰＵ１は、通話（無線通信）開始から当該通話が終了するか否かを、ＤＥＣＴ無線部３を介して終話パケットを受信したか、または操作パネル１１の通話終了ボタン（図示せず）が操作されたか否かに基づき判断する（ステップＳ４）。ＣＰＵ１は、通話終了と判断しない場合は（ステップＳ４でＮＯ）、処理をステップＳ３に戻すが、通話終了と判断すると（ステップＳ４でＹＥＳ）、一連の処理を終了する。
【００４１】
図７は、図６の品質取得・表示処理（ステップＳ３）のフローチャートを示す図である。図７では、このフローチャートに関連付けて、処理開始のタイミングチャートおよび通信品質値を格納するテーブルＴＢが模式的に示されている。テーブルＴＢは、記憶部５に格納される。
【００４２】
図７の左側のタイミングチャートに示されるように、表示制御部２２は、タイマ１２の出力に基づき予め定められた周期で品質取得・表示処理を繰返し実施する。なお、繰返す周期は、後述する‘第１品質値’を取得するための予め定められた時間（後述する５秒）に基づく周期であり、より特定的には、この時間よりも短い周期であって、例えば１秒としているが１秒に限定されない。なお、本実施の形態では、第１品質値は、上記の所定の悪化した第１の品質状態の通信品質情報に相当する。
【００４３】
図７のテーブルＴＢは、無線通信中に取得される通信品質値の組（受信強度、受信ビット誤り率、および受信電力対雑音比）が、最大ｎ個格納可能な１種のリングバッファの構造を有する。実施の形態１ではｎ≧５とする。これは、発明者らの実験による知見に基づいている。具体的には、実験によれば、ユーザが子機２０を携帯しながら通話時にスピーカ部８の音声途切れや雑音が発生し、ディスプレイ１０を見る（すなわちアンテナマーク１０Ａを確認する）までの所要時間は、少なくとも５秒であったことに基づいている。なお、テーブルＴＢに格納可能な通信品質値の組は、５個に限定されない。
【００４４】
図７のフローチャートを参照して、まず、品質取得部２１は、上述した通信品質値（受信強度、受信ビット誤り率、および受信電力対雑音比）の組を取得し、取得された通信品質値の組をテーブルＴＢに格納する（ステップＳ３１）。
【００４５】
第１表示制御部２３は、表示処理を実施する。表示処理では、テーブルＴＢに格納されている最大ｎ個の通信品質値の組から、第１品質値が決定される（ステップＳ３２）。例えば、第１品質値は、ｎ個の受信強度のうちの最低値を示す。または、第１品質値は、ｎ個の受信強度のうちの、低い方および高い方のそれぞれｍ（ｍ＜ｎ）個の値を除去し、除去後の値のうちの代表値（最低値または平均値）を示す。同様にして、他の通信品質値（受信ビット誤り率、および受信電力対雑音比）についても第１品質値が算出される。受信強度、受信ビット誤り率、および受信電力対雑音比のそれぞれについて取得された第１品質値の代表値（平均値または最低値）が、通信品質値の第１品質値として決定される。
【００４６】
このように、第１表示制御部２３は、通信品質値を表示するとき、それ以前の５秒内において取得された通信品質値のうち、所定の悪化した品質状態の通信品質値が存在した場合には、当該品質状態となった通信品質値を、第１品質値として取得する。
【００４７】
なお、第１品質値は、受信ビット誤り率、および受信電力対雑音比の３種類の組合せによらず、そのうちの２種類、または１種類に基づいて取得してもよい。
【００４８】
第１表示制御部２３は、上記のように取得された第１品質値の表示データを生成し、ディスプレイ１０に出力する。ディスプレイ１０は、表示データに従い駆動されて、アンテナマーク１０Ａを表示する（ステップＳ３３）。その後、処理は図６のステップＳ４に移行する。
【００４９】
無線通信中は、上記の表示処理が１秒の周期で繰返し実施されるので、品質取得部２１は、１秒毎に、そのときから遡った５秒間の、すなわち直近の５秒間の通信品質値のデータをテーブルＴＢに格納する。また、第１表示制御部２３は、１秒毎に、当該直近の５秒間の通信品質値に基づく第１品質値を取得して、アンテナマーク１０Ａの表示を、当該第１品質値を示すように更新する。これにより、無線通信中は、ユーザに対して、最新の第１品質値を提示することが可能となる。
【００５０】
また、無線通信中であっても、スピーカフォン機能が起動している場合には、子機２０を図１（Ａ）に示すようにクレードル３０に装着したまま、すなわちユーザはディスプレイ１０の表示画面を確認しながら通話可能となる。したがって、上記のスピーカフォン機能が起動された場合には（ステップＳ２でＮＯ）、ステップＳ３の処理（図７の処理）がパスされて、表示制御部２２は、品質取得部２１が取得するリアルタイムの通信品質値を表すアンテナマーク１０Ａを表示する。したがって、スピーカフォンで通話時は、ユーザは、上記の第１品質値ではないリアルタイムの通信品質値を確認することができる。
【００５１】
[実施の形態２]
実施の形態２では、実施の形態１の第１品質値の表示タイミングについての変形例を説明する。例えば、図７の第１品質値の取得・表示処理は、通信品質値が閾値未満となった場合に実施されるとしてもよい。
【００５２】
これにより、無線通信開始から通信品質値が閾値未満となるまでの期間は（すなわち、無線通信開始から通信品質値が閾値以上である期間は）、図７の処理はパスされて、ディスプレイ１０には、上記の第１品質値ではないリアルタイムの通信品質値が表示されて、閾値未満となれば、図７の第１品質値の表示が実施される。なお、この閾値は、例えば、ユーザがスピーカ部８からの音声途切れを識別可能な通信品質値であって、実験等によって取得される。
【００５３】
また、音声データのパケットの再送処理においても、通信品質値が閾値未満となった場合には、図７の処理を実施して、第１品質値を更新しながら表示するとしてもよい。
【００５４】
[実施の形態３]
実施の形態３では、実施の形態１の第１品質値の表示タイミングについての他の変形例を説明する。表示制御部２２は、上記の図７のフローチャートに従う第１品質値の取得・表示処理を、通信品質値が上記に述べた閾値以上に回復した場合には、第１品質値の表示処理を中止し、品質取得部２１が取得する最新の通信品質値を表示するとしてもよい。
【００５５】
つまり、図７の表示処理を実施中に、第２表示制御部２４は、取得される通信品質値が閾値以上である期間が、すなわち良好である通信品質状態の期間が予め定められた期間継続するか否かを判断する。予め定められた期間継続したことを判断した場合は、第２表示制御部２４は、当該予め定められた期間において品質取得部２１により取得された通信品質値（またはその代表値を算出）取得し、第１品質値に代えて当該通信品質値の表示データに基づく、アンテナマーク１０Ａをディスプレイ１０に表示する。
【００５６】
[実施の形態４]
図８は、実施の形態４に係る通信システムを概略的に示す図である。図９（Ａ）〜（Ｃ）は、実施の形態４に係るアンテナマークの表示例を示す図である。本実施の形態４では、ある局面の目的は、無線通信時に経由する無線通信路のための各通信部の通信品質値をユーザに提示することを可能にする通信装置、その制御方法およびプログラムを提供することである。
【００５７】
上記の各実施の形態では、無線通信路は、親機４０と子機２０との間で確立されたものであるとしたが、実施の形態４では、子機２０が複数種類の無線通信路を経由して他の装置と無線通信する場合には、通信部の各無線通信路を経由した通信品質値が取得されて、表示される。
【００５８】
図８を参照して、通信システムは屋外の通信端末６１、屋内の通信端末６０、通信端末６０と無線通信可能な親機４０Ａ、および親機４０Ａと無線通信する子機２０を含む。図８では、親機４０に、登録される無線通信装置は、通信端末６０および子機２０である。子機２０はクレードル３０に載置可能であり、また、通信端末６０は親機４０Ａの子機受け部１３Ａに、図１（Ｂ）の子機２０に代わって載置可能である。通信端末６０，６１は、携帯可能な端末であり、例えばスマートフォンを含む。
【００５９】
図８のシステムにおいては、屋外の通信端末６１から宅内の通信端末６０に着信があった場合、通信端末６０と６１の間では、例えば４Ｇ（第４世代移動通信システム）に従う無線通信路５１が確立される。通信端末６０は、外線から着信を受信すると、受信した着信を、親機４０Ａを経由して子機２０に転送する。これにより、子機２０はリング音を鳴動して着信を報知する。着信が電話呼出しである場合に、ユーザは、子機２０を操作して、宅外の通信端末６１の話者と通話することが可能となる。このような通話時に、宅内の通信端末６０と親機４０Ａの間は、例えば、Ｂｌｕｅｔｏｏｔｈに従う無線通信路５２が確立されて、親機４０Ａと子機２０の間は、上記のＤＥＣＴに従う無線通信路５３が確立される。なお、通信端末６０と６１の間の通信路は、４Ｇに限定されず、例えば３Ｇ（第３世代移動通信システム）に従う他の通信路が確立されてもよい。
【００６０】
実施の形態４では、通信端末６０と親機４０Ａは、図４に説明したものと同様の機能を有する。通信端末６０は、上記の各実施の形態と同様に、通信部の無線通信路５１を経由した通信の通信品質値を取得し、その第１品質値を示すアンテナマーク１０Ｂをディスプレイ１２２に表示する（図９（Ａ）参照）。また、通信端末６０は、取得した第１品質値を、無線通信路５２を介して親機４０Ａに送信する。
【００６１】
親機４０Ａは、通信部の無線通信路５２を経由した通信の第１品質値を取得し、その第１品質値を示すアンテナマーク１０Ｃと、通信端末６０から受信する第１品質値を示すアンテナマーク１０Ｂとをディスプレイ１３に表示する（図９（Ｂ）参照）。また、親機４０Ａは、自己が取得した通信部の無線通信路５２による第１品質値と、通信端末６０から受信した無線通信路５１による第１品質値とを、無線通信路５３を介して子機２０に送信する。
【００６２】
子機２０は、通信部の無線通信路５３を経由した通信の第１品質値を取得し、その第１品質値を示すアンテナマーク１０Ｄと、親機４０Ａから受信した無線通信路５１，５２について通信部の第１品質値を示すアンテナマーク１０Ｂ，１０Ｃとをディスプレイ１０に表示する（図９（Ｃ）参照）。
【００６３】
また、通信端末６０は、親機４０Ａから無線通信路５２を経由した通信の第１品質値を受信してディスプレイ１２２にアンテナマーク１０Ｃを表示するとしてもよく、同様に、親機４０Ａは子機２０から無線通信路５３を経由した通信品質値の第１品質値を受信し、ディスプレイ１３に表示するとしてもよい。さらに、通信端末６０は、親機４０Ａから無線通信路５３を経由した通信の第１品質値を受信してディスプレイ１２２に表示するとしてもよい。
【００６４】
図９（Ａ）〜（Ｃ）において、アンテナマークは、対応の無線通信路の方式名称（４Ｇ、ＢＴ（Ｂｌｕｅｔｏｏｔｈ）、ＤＥＣＴ等）と関連付けて表示したが、相手の無線通信装置の機器識別子（機種名、一般名称（携帯電話、固定電話の親機、子機等））と関連付けて表示しても良い。
【００６５】
（通信端末の外観）
図１０は、実施の形態４に係る通信端末６０の外観を模式的に示す図である。通信端末６１は通信端末６０と同様の構成を有するので、ここでは、代表して通信端末６０の構成を説明する。図１０を参照して通信端末６０は、長方形状の筺体２４Ａと、筺体２４Ａに装着された長方形状のフラットパネルである後述のタッチパネル１２１を含む表示一体型入力部１２０、ならびに筺体２４Ａに取付けられた集音部であるマイク１６１および１６２を備える。
【００６６】
図示されるように、筺体２４Ａはタッチパネル１２１を額縁状に囲むようにタッチパネル１２１に装着される。ユーザは筺体２４Ａの額縁を把持しながら、タッチパネル１２１を操作し、またはタッチパネル１２１を介して表示画像を確認する。
【００６７】
ここでは、表示一体型入力部１２０の面のうち、外部に露出する面はタッチパネル１２１の操作面に対応する。操作面は、通信端末６０に対する指示を入力するためのユーザ操作を受付ける。操作面の背面には異なる位置に取り付けられて、駆動信号に従ってタッチパネル１２１を振動させるための複数の振動部１９１Ｄおよび１９１Ｃを備える。振動部１９１Ｄおよび１９１Ｃは、音声出力部の一実施例である、フラットパネルスピーカを構成する。また、背面の異なる位置には圧力検出のための受圧素子からなる受圧面である複数のダイヤフラム（隔膜）１９１Ａおよび１９１Ｂが備えられる。ダイヤフラム１９１Ａと１９１Ｂは、検出対象（本実施の形態の場合には耳）が接触した領域の位置および面積を検出するために用いられる接触面の一実施例である。
【００６８】
図１１は、図１０の通信端末６０のハードウェア構成を表わすブロック図である。通信端末６０は、ＣＰＵ１１０、表示一体型入力部１２０、記憶部１４０、タッチパネル１２１を振動部１９１Ｃと１９１Ｄを用いて振動させるためのパネル振動部１５０、マイク１６１および１６２に相当する音声入力部１６０、外部メモリ１７０、アンテナを接続する通信Ｉ／Ｆ（Interface）１８０、および圧力センサ１９１を含むセンサ部１９０を備える。
【００６９】
表示一体型入力部１２０は、ＬＣＤ（Liquid  Crystal  Display）であるディスプレイ１２２および表示面を覆うように重ねられるタッチパネル１２１を含む。
【００７０】
記憶部１４０は、プログラムおよびデータを格納するためのＲＡＭ１４１およびＲＯＭ１４２を含む。外部メモリ１７０は、図示しないＩ／Ｆ（Interface）を介して通信端末６０に着脱自在に装着されて、ＣＰＵ１１０は装着された外部メモリ１７０をアクセスする。通信Ｉ／Ｆ１８０は、アンテナを介して外部装置と無線通信する。
【００７１】
通信Ｉ／Ｆ１８０は、Ｗｉ−Ｆｉ（Wireless  Fidelity（登録商標）の略）、Ｂｌｕｅｔｏｏｔｈ、３Ｇ、４Ｇ等に従い無線通信する。外部メモリ１７０は、たとえば不揮発性記憶媒体からなるメモリカードとして実現される。
【００７２】
（耳の接触判断と表示）
通信端末６０では、圧力センサ１９１の検出に基づき対象物である耳がダイヤフラムに当接して接触した場合には、接触領域の位置と面積とを検出することができる。
【００７３】
圧力センサ１９１は、振動部１９１Ｄおよび１９１Ｃに配置された、または近傍に配置されたダイヤフラム１９１Ａと１９１Ｂに加わっている圧力を検出する。ＣＰＵ１１０は、圧力センサ１９１の出力に基づき、ダイヤフラム１９１Ａと１９１Ｂそれぞれの膜の変形度（押圧されている位置と面積）を検出する。検出した各変形度が予め定められた変形度を示す場合には、フラットスピーカに耳が接触して押圧されていると判断する。なお、ダイヤフラム１９１Ａおよび１９１Ｂの両方において同時に耳が接触することはない。
【００７４】
通信端末６０のＣＰＵ１１０（表示制御部２２に相当）は、無線通信中に圧力センサ１９１の出力に基づき耳が接触したことを判断する期間は、第１表示制御部２３による上記の図７に説明した第１品質値の取得と表示処理を実施する。一方、無線通信時であっても、耳の接触が判断されない期間は、ＣＰＵ１１０（表示制御部２２）は、図７の第１品質値の取得および表示処理の実施を中止する（実施されない）。したがって、この期間は、品質取得部２１によりリアルタイムに取得される通信品質値のアンテナマークが表示される。
【００７５】
（変形例）
第１表示制御部２３による接触面に耳が当接しているか否かの判断は、上記に述べた圧力センサ１９１の検知出力を用いる方法に限定されない。例えば、筺体表面において音声出力部が配置された面、またはその近傍に設けられた照度センサの検知出力（耳が当接しているか否かで明るさが異なる）、同様に設けられた人感センサの検知出力（人体からの赤外線の有無）、同様に設けられたインカメラの出力である撮像画像（耳が当接しているか否かで撮像画像の明るさが異なる）等を用いることができる。
【００７６】
また、耳の当接が検出されて第１表示制御部２３の表示処理が実施された後に、耳の当接が検出されなくなったときは、検出されなくなってから予め定めた期間（例えば５秒）が経過したと判断されたときに、第１表示制御部２３による表示に代えて、第２表示制御部２４による通信品質値の取得と表示を実施するようにしてもよい。
【００７７】
なお、上記に述べた音声出力部への耳の当接の検出方法、および検出に基づき第１表示制御部２３の表示と第２表示制御部２４の表示の切替え方法は、実施の形態１から３に示した子機２０のスピーカ部８への耳の当接の検出に対しても同様に実施することができる。
【００７８】
[実施の形態５]
上記の各実施の形態では、無線通信時の通信品質の指標であるアンテナマーク１０Ａ〜１０Ｄの表示部は、子機２０または通信端末６０，６１のディスプレイ１２２としたが、表示先は他のデバイスであってもよい。例えば、親機４０Ａのディスプレイ１３または他のモニタ装置等に表示してもよい。この場合、子機２０または通信端末６０，６１の表示制御部２２は、指標の表示データを、これら他の装置にＤＥＣＴ無線部３，通信Ｉ／Ｆ１８０を介して送信し得る。
【００７９】
（各実施の形態の変形例）
上記に述べた各実施の形態は適宜組み合わせて実施されてもよい。
【００８０】
また、第１表示制御部２３は、実施の形態２で説明したように、通信品質値が閾値を下回ったとき表示処理を実施するが、この閾値は可変であってもよい。
【００８１】
また、第１品質値は、以下のように取得されてもよい。
（１）テーブルＴＢのｎ個の通信品質値のうち下位Ｎ（ただし、Ｎ＜ｎ、Ｎ＝０，１，２，・・・）個を除く通信品質値のうちのワーストの値、または、下位からＮ＋１番目の値（ただし、Ｎ＋１＜ｎ）を、第１品質値として取得してもよい。なお、Ｎ＝０のときは最下位の値が第１品質値になる。
【００８２】
（２）テーブルＴＢの下位Ｎ個の平均値（Ｎ＝１，２，・・・）を、第１品質値として取得してもよい。なお、Ｎ＝１のときは、最下位の値が第１品質値になる。
【００８３】
（３）通話中に、音声データのパケット再送処理でもエラーが発生し、スピーカ部８へ出力できる音声がないときも上記の表示処理が実施される。つまり、出力する音声がなく通話の途切れが発生している通信状態において、表示処理は、その通信状態を表す通信品質情報（通信品質値）を表示する。この場合も、表示情報は上記の（１）〜（２）に基づく情報を適用することができる。
【００８４】
また、上記の通信品質値（受信強度、受信ビット誤り率、受信電力対雑音比）は、アンテナマーク１０Ａ〜１０Ｄにより表示されるが、これらアンテナマークは、所定時間（例えば、５秒間）表示する構成としてもよい。この場合、上記の（３）のケースにおいては、通話が途切れているのでアンテナマークの表示を、悪い通信状態（第１品質値）の本数よりも更に少ない本数（０本または１本、または点滅させる等）で表示するとしてもよい。
【００８５】
また、通信状態が予め定めた閾値を下回る悪い状態、すなわち通信品質値が閾値未満である状態が長時間続いているときは、悪い状態の時間の経過に応じて、アンテナマークで表示されるアンテナ本数を徐々に減らすように表示を変化させる。これにより、通信部の通信状態が悪い状態であることを、より分かり易くユーザに通知することが可能となる。
【００８６】
[実施の形態６]
実施の形態６では、子機２０の制御部１ＡのＣＰＵ１、または通信端末６０，６１のＣＰＵ１１０に上記の各実施の形態に記載した制御を実行させるためのプログラムを提供することもできる。このプログラムを子機２０の記憶部５または通信端末６０，６１の記憶部１４０にインストールすることで、既存の通信システムでも、各実施の形態に示した、無線通信中の通信品質値の指標の表示が実現される。
【００８７】
プログラム製品は、プログラム自体と、プログラムが記録された記録媒体とを含む。すなわち、プログラムは、一例として固定電話回線を介してダウンロードによって親機４０にダウンロードされた後、子機２０にＤＥＣＴ無線通信により配信されてもよい。また、他の例として、インターネットなどのネットワークや着脱式のメモリなどによって、いったん、携帯電話機やモバイル端末などに配布され、そのような装置から子機２０に対して無線通信で配信されてもよい。このようなプログラムのロードの態様は、通信端末６０，６１についても同様に実施することができる。
【００８８】
なお、プログラムは、他のプログラムに組み込まれるプログラムの一部（モジュール）であって、当該他のプログラムの一部に組み込まれて提供されるものであってもよい。または、モジュールだけが提供されて、他のプログラムの一部に組み込まれて（またはそのモジュール部分が書き換えられて）用いられてもよい。このような他のプログラムに組み込まれた（組み込まれる）プログラムも、本発明にかかるプログラムに含まれ得る。
【００８９】
[実施の形態の効果]
図１２は、子機２０を用いた通話態様を示す図である。図２には、ユーザが子機２０を親機４０から取外して、携帯しながら通話している状態が模式的に示されている。図２に示されるように、通話時には、ユーザは、スピーカ部８が耳に当接し、マイク９が口元に位置するような姿勢で子機２０を携帯するため、ディスプレイ１０の画面は死角となり、ユーザはディスプレイ１０の表示情報を確認することが困難となる。
【００９０】
この点に関し、上記の各実施では、無線通信中は、第１表示制御部２３により通信品質値の第１品質値が周期的に取得されてアンテナマーク１０Ａとして表示される。したがって、通話中に音声の途切れや雑音が発生した場合に、ユーザが子機２０を耳から離してディスプレイ１０のアンテナマーク１０Ａを確認したときには、通信状態が正常に戻っているとしても、当該アンテナマーク１０Ａは悪化した通信状態を示す第１品質値を示す。したがって、上記に述べたような、ユーザが、電話機１００（または子機２０）が不良品である、または故障していると誤判断するのを回避し得る。なお、通信端末６０，６１を用いて無線通信する場合であっても、上記の死角の課題は生じるが、同様に、当該効果が奏されることで課題を解消することができる。
【００９１】
（開示内容）
実施の形態の開示内容を以下のように表すことができる。
【００９２】
（１）携帯可能な子機２０（または通信端末６０）は、把持可能な筺体と、他の装置と通信する通信部と、通信部の通信品質情報を取得する品質取得部２１と、品質取得部により取得される通信品質情報をディスプレイに表示するための表示制御部２２と、を備える。表示制御部は、通信品質情報を表示するとき、それ以前の予め定められた時間において取得されている通信品質情報において所定の悪化した第１の品質状態の通信品質情報が存在した場合は、該第１の品質状態となった通信品質情報を所定時間表示する表示処理を行う第１表示制御部２３を含む。
【００９３】
（２）第１表示制御部２３は、無線通信中に通信品質値が閾値未満となった場合に、表示処理を実施する。したがって、通信品質が閾値未満となったときは、上記の第１の品質状態となった通信品質情報の表示処理が実施される。
【００９４】
（３）第１表示制御部２３は、表示処理を実施する場合に、当該表示処理を周期的に繰返し実施する。したがって、第１の品質状態となった通信品質情報の表示は、周期的に更新される。
【００９５】
（４）第１表示制御部２３は、周期毎に実施される表示処理において、当該周期から遡った予め定められた時間において取得されている通信品質情報のうちの第１の品質状態となった通信品質情報を取得する。したがって、直近の予め定められた時間における第１の品質状態となった通信品質情報が表示される。また、周期は、前記予め定められた時間よりも短い。
【００９６】
（５）表示制御部２２は、さらに、無線通信中に表示処理を実施後に、通信品質情報が第１の品質状態より良好な第２の品質状態が予め定められた期間継続した場合は、第１の品質状態の通信品質情報に代えて、当該予め定められた期間において取得される当該第２の品質状態の通信品質情報を、ディスプレイに表示する第２表示制御部２４を含む。したがって、通信品質状態が十分に回復したときは、回復した通信品質情報の表示が開始される。
【００９７】
（６）無線通信装置は、さらに、把持可能な筺体６（または筺体２４Ａ）と、筺体の表面に設けられ、当該無線通信装置に対するユーザ操作を受付ける操作面（操作パネル１１、タッチパネル１２１）と、を備え、表示制御部２２は、無線通信時に、予め定められた操作（スピーカフォンボタン１１Ａの操作）が受付けられたとき、悪化した第１の品質状態の通信品質情報の表示を中止し、最新の通信品質情報を表示する。したがって、予め定められた操作（スピーカフォン操作）時は、第１の品質状態の通信品質情報の表示は中止される。
【００９８】
（７）無線通信装置は、スピーカフォン機能を有し、予め定められた操作は、スピーカフォン機能を起動するための操作を含む。したがって、ハンズフリー態様で使用するスピーカフォン起動時は、上記の死角の課題は生じ得ないことから、第１の品質状態の通信品質情報の表示を中止し、最新の通信品質情報を表示する。
【００９９】
（８）無線通信装置は、音声出力部（スピーカ部８）を、さらに備え、筺体の表面において、ディスプレイ１０と、音声出力部が配置される。
【０１００】
（９）無線通信装置は、筺体の表面において、対象の接触を検知するための接触面（ダイヤフラム１９１Ａと１９１Ｂ）を有し、音声出力部（振動部１９１Ｃ，１９１Ｄ）は、接触面において、または当該接触面の近傍に配置され、第１表示制御部２３は、無線通信時に接触面において対象が接触したことを判断したとき、表示処理を実施する。したがって、接触面において耳等の対象が当接したときに、第１の品質状態の通信品質情報の表示が実施される。また、この接触面は、ディスプレイの表示面に重ねられて設けられる。
【０１０１】
（１０）携帯可能な無線通信装置の制御方法は、通信部の通信品質情報を取得するステップと、取得される通信品質情報をディスプレイに表示するステップ（ステップＳ３）と、を備える。表示するステップは、通信品質情報を表示するとき、それ以前の予め定められた時間において取得されている通信品質情報において所定の悪化した第１の品質状態の通信品質情報が存在した場合は、該第１の品質状態となった通信品質情報を所定時間表示するステップ（ステップＳ３１〜Ｓ３３）を含む。
【０１０２】
（１１）上記の制御方法をコンピュータに実施させるためのプログラムが提供される。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１Ａ  制御部、２，３９Ａ  アンテナ、３，３９  ＤＥＣＴ無線部、４  信号処理部
５，３７，１４０  記憶部、６，２４Ａ  筺体、８  スピーカ部、１０，１３，１２２  ディスプレイ、１０Ａ，１０Ｂ，１０Ｃ，１０Ｄ  アンテナマーク、１１，１６  操作パネル、１１Ａ  スピーカフォンボタン、１２  タイマ、２０  子機、２１  品質取得部、２２  表示制御部、２３  第１表示制御部、２４  第２表示制御部、５１，５２，５３  無線通信路、６０，６１  通信端末、１００，１００Ａ  電話機。
【図１】
0006608301.tif 000002
【図２】
0006608301.tif 000003
【図３】
0006608301.tif 000004
【図４】
0006608301.tif 000005
【図５】
0006608301.tif 000006
【図６】
0006608301.tif 000007
【図７】
0006608301.tif 000008
【図８】
0006608301.tif 000009
【図９】
0006608301.tif 000010
【図１０】
0006608301.tif 000011
【図１１】
0006608301.tif 000012
【図１２】
0006608301.tif 000013